(57)【要約】ディジタルカメラ又はビデオカメラといったディジタル撮像装置（１１）は、音声ファイルを記憶する能力を含みうる。これらの音声ファイルは、ユーザが写真の撮影又はビデオのキャプチャをしようとするときにユーザの制御下で発生されうる。音声ファイルは、撮像被写体の注意を引くための注意を喚起するものとして再生されうる。記録された音声サウンドを再生することにより被写体の注意を引いた後、画像は自動的に捕捉されうる。
2006504980.tif 000002
【特許請求の範囲】
【請求項１】
撮像装置に記憶された音声を再生する段階と、
前記記憶された音声の再生後に自動的に画像を捕捉する段階とを有する方法。
【請求項２】
前記撮像装置に記憶された音声を再生する段階と、前記画像を捕捉する段階との間に、自動的に時間遅延を与える段階を含む、請求項１記載の方法。
【請求項３】
別個のプロセッサベースのシステムから音声ファイルをダウンロードする段階を含む、請求項１記載の方法。
【請求項４】
前記ファイルを可搬記憶媒体を用いて撮像装置へ転送する段階を含む、請求項１記載の方法。
【請求項５】
インターネットから音声ファイルをダウンロードする段階を含む、請求項１記載の方法。
【請求項６】
人が「チーズ」という単語を言っている音声記録物を自動的に再生する段階を含む、請求項１記載の方法。
【請求項７】
音声を記録する段階と、前記音声を記憶する段階と、前記音声を自動的に再生する段階とを含む、請求項１記載の方法。
【請求項８】
音声を再生するために前記ユーザに制御部を操作させることを可能とする段階を含む、請求項７記載の方法。
【請求項９】
前記記録された音声を前記捕捉された画像に自動的にリンクさせる段階を含む、請求項７記載の方法。
【請求項１０】
音声を自動的に再生する段階と、その後、ユーザ制御部の操作に応じて画像を捕捉する段階とを含む、請求項１記載の方法。
【請求項１１】
前記音声再生と前記画像捕捉との間に時間間隔を与える段階を含む、請求項１０記載の方法。
【請求項１２】
画像の捕捉と関連して自動的に音声を記憶する段階を含む、請求項１記載の方法。
【請求項１３】
プロセッサベースのシステムに、
撮像装置に記憶された音声を再生し、
前記記憶された音声の再生の後に自動的に画像を捕捉すること、
を可能とする命令を記憶する媒体を含む製品。
【請求項１４】
前記プロセッサベースのシステムに、
前記撮像装置に記憶された音声の再生と、前記画像の捕捉との間に、時間遅延を与えることを可能とする命令を更に記憶する、請求項１３記載の製品。
【請求項１５】
撮像アレイと、
前記撮像アレイに結合されたプロセッサと、
前記プロセッサに、音声を自動的に再生し、時間遅延を与え、自動的に画像を捕捉することを可能とさせる命令を記憶する記憶部とを有する、撮像装置。
【請求項１６】
前記撮像装置は、ディジタルカメラである、請求項１５記載の撮像装置。
【請求項１７】
前記撮像装置は、ビデオレコーダである、請求項１５記載の撮像装置。
【請求項１８】
ユーザが画像の捕捉を開始させることを可能とする制御部を含む、請求項１５記載の撮像装置。
【請求項１９】
マイクロホンを含む請求項１５記載の撮像装置であって、
前記記憶部は音が記録されることを可能とする命令を記憶する、請求項１５記載の撮像装置。
【請求項２０】
スピーカを含む、請求項１５記載の撮像装置。
【発明の詳細な説明】
【技術分野】
【０００１】
本発明は、概して、スチルカメラ及びビデオカメラを含む撮像装置に関連する。
【背景技術】
【０００２】
人間又は動物の写真を撮影するとき、被写体の注意を引くことが望まれる。被写体が撮像装置を見ていない場合、結果として得られる画像はあまり望ましくないものであることがある。更に、写真が撮影される直前に被写体を微笑ませることがしばしば望まれる。従って、多くの撮影者は、写真を撮影する直前に被写体に「チーズ」と言うことを求める。これは、被写体を笑っているように見せ、被写体の注意をカメラへ向け、より感じのよい写真を生じさせる。
【発明の開示】
【発明が解決しようとする課題】
【０００３】
現在の方法はうまく作用するものであるが、被写体の注意を引くためのより画期的な方法が必要とされる。
【発明を実施するための最良の形態】
【０００４】
図１を参照するに、ディジタル撮像装置１０は、幾つかの例として、スチルカメラであってもよく、又は、動画或いはビデオカメラであってもよい。撮像装置１０は、撮像アレイ１４へ画像を与えるレンズ１２等の光学素子を含みうる。撮像アレイ１４は、２つの例として、電荷結合素子（ＣＣＤ）であってもよく、又は、相補型金属酸化膜半導体（ＣＭＯＳ）撮像アレイであってもよい。アレイ１４によって捕捉される画像は、更なる処理のため、アレイインタフェース１６へ転送されうる。幾つかの実施例では、アレイインタフェース１６は、欠徐している色成分のための画素補間を与えうる。インタフェース１６はまた、捕捉された画素をディジタル信号へ変換し、最終的な表示のために色を調整しうる。
【０００５】
アレイインタフェース１６は、プロセッサ１８に結合される。プロセッサ１８は、装置１０の様々な構成要素の動作を制御しうるものであり、また、画像処理機能を与えうる。プロセッサ１８は、撮像装置１０の筐体１１上に設けられ得る複数の手動のユーザ制御可能な制御部３２によって制御されうる。
【０００６】
プロセッサ１８は、記憶インタフェース２０に結合され、記憶インタフェース２０は次に記憶装置２２に結合される。記憶装置２２は、１つの実施例では、フラッシュメモリでありうる。
【０００７】
プロセッサ１８はまた、１つの実施例ではシリアルインタフェース３４に結合される。シリアルインタフェース３４は、無線又は有線のリンク３８によってパーソナルコンピュータ３６に結合されうる。パーソナルコンピュータ３６は、撮像装置１０によって捕捉された画像のための更なる処理を与えうるものであり、捕捉された画像を整理し、操作し、編集し、転送し、使用するためのアプリケーション・ソフトウエアを与えうる。更に、パーソナルコンピュータ３６は、幾つかの実施例では、図示するように、インターネットに結合されてもよい。
【０００８】
プロセッサ１８はまた、ディスプレイ２６に結合されるディスプレイ・インタフェース２４に結合される。ディスプレイ２６は、幾つかの実施例では、撮像装置１０の筐体１１上の液晶ディスプレイ（ＬＣＤ）でありうる。
【０００９】
最後に、プロセッサ１８は、音声インタフェース２８にも結合される。音声インタフェース２８は、次に、撮像装置１０の筐体に固定されうるスピーカ／マイクロホン３０に結合される。スピーカは音声出力を与え、マイクロホンは音声入力を受信する。受信された音声信号は、プロセッサ１８上で処理及び記憶のためにディジタル形式へ変換される。
【００１０】
幾つかの実施例では、ユーザは、画像の捕捉の前又は後の続く再生のためにスピーカ／マイクロホン３０を通じて音を記録してもよい。特に、ユーザは、記憶部２２に記録されていてもよい注意を引く音を再生してもよい。このような音は、人が「チーズ」という単語を言っていること、赤ん坊の注意を引くためのおもちゃのガラガラの音、動物の注意をひくための動物の名前、又は様々な他の潜在的に注意を引く音を含みうる。音は、ユーザによって記録されてもよく、又は、予め記録され撮像装置１０内の記憶部２２に記憶されてもよい。
【００１１】
場合によっては、プロセッサ１８は、面白い効果を与えるために記録された音を電子的に変化させうる。更に、プロセッサ１８は、幾つかの実施例では画像捕捉と揃えるために音の発生の時間を計りうる。また、例えばパーソナルコンピュータ３６を通じて、インターネットを通じて、音のカタログにアクセスしうる。インターネットで得られたサウンドファイルは、リンク３８及びシリアルインタフェース３４を通じて撮像装置１０へダウンロードされうる。更なる他のオプションとして、ユーザは、例えばパーソナルコンピュータ上で自分のサウンドファイルを作成し、有線又は無線リンクを介して又は可搬記憶媒体を用いてこれらのファイルをカメラへ転送しうる。
【００１２】
図２に示す音声捕捉ソフトウエア４０は、本発明の１つの実施例によれば記憶部２２に記憶されうる。ステップ４２で判定されるように、適当な制御信号が例えば制御部３２から受信されると、音声信号はスピーカ／マイクロホン３０を通じて捕捉されうる。幾つかの実施例では、捕捉された音声は、記憶部２２に以前に記憶された音声を置き換えうる。他の実施例では、オンデマンドの選択及び再生のために複数の音声セグメントが記憶されうる。言い替えれば、制御部３２を用いたユーザの制御下で、要望通り、複数の異なる音が発生されうる。
【００１３】
更なる他の実施例として、音声は、画像捕捉と関連して自動的に捕捉されうる。１つの実施例では、画像認識ソフトウエアは、捕捉された画像の属性を確認してもよく、捕捉された画像の性質が与えられていれば適当な音を選択し記憶してもよい。
【００１４】
次に図３を参照するに、画像捕捉ソフトウエア５０もまた、幾つかの実施例では記憶部２２に記憶されうる。ステップ５２において判定されるような制御部３２のうちの１つといった適当なユーザ操作可能な制御部が操作されると、ステップ５４に示すように音声の音が自動的に再生される。この音声の音は、上述のように、スピーカ／マイクロホン３０を通じて記録されたもの、インターネットを通じてダウンロードされたもの、ユーザによって作成されたもの、又は撮像装置１０によって与えられたものでありうる予め記憶された音声の音でありうる。音声が再生された後、ステップ５６に示すように、時間遅延が発せられ得る。時間遅延は、被写体が音声の指示に反応することを可能とするのに適切なものでありうる。
【００１５】
時間遅延の後、ステップ５８に示すように、画像捕捉は自動的に行われうる。この画像捕捉は、場合によっては自動的にフラッシュを伴ってもよい。最後に、捕捉された画像は、ステップ６０に示すように、例えば記憶部２２に記憶されうる。或いは、画像は、パーソナルコンピュータ３６に転送されうる。１つの実施例では、捕捉されたサウンドファイルは、パーソナルコンピュータへの転送のために捕捉された画像ファイルとリンクされる。
【００１６】
図４を参照するに、音声の音がインターネットを介して検索されうる実施例では、記憶部２２に音声検索ソフトウエア７０が記憶されうる。例えば、やはり制御部３２を通じて、適切な制御信号が受信されると、ステップ７２におけるチェックは、ステップ７４に示すように撮像装置１０をパーソナルコンピュータ３６に自動的にリンクさせる。ステップ７６に示すように、音声ファイルは、リンク３８を通じてパーソナルコンピュータ３６から受信されうる。このファイルは、インターネットからダウンロードされてもよく、又は、１つの例としてはコンパクトディスクといった、パーソナルコンピュータ３６上の記憶装置から導出されたものであってもよい。ダウンロードされた音声ファイルは、ステップ７８に示すように、例えば記憶部２２に記憶されうる。他の実施例では、撮像装置１０は、それ自身がインターネットに直接リンクされてもよい。
【００１７】
本発明について、限られた数の実施例について説明したが、当業者はそこから多くの変更及び変形が得られることを認めるであろう。特許請求の範囲は、本発明の真の趣旨及び範囲内の全てのかかる変更及び変形を網羅することが意図される。
【図面の簡単な説明】
【００１８】
【図１】本発明の１つの実施例を示す概略図である。
【図２】本発明の１つの実施例によるソフトウエアのフローチャートを示す図である。
【図３】本発明の１つの実施例によるソフトウエアのフローチャートを示す図である。
【図４】本発明の１つの実施例によるソフトウエアのフローチャートを示す図である。
【図１】
2006504980.tif 000003
【図２】
2006504980.tif 000004
【図３】
2006504980.tif 000005
【図４】
2006504980.tif 000006
【国際調査報告】
2006504980.tif 000007
2006504980.tif 000008